(57)【要約】【課題】読者に対し新聞記事に加え広告や地域情報等を配信可能とした新聞配信システムを提供する。【解決手段】新聞記事データと広告等の付加データとを組合せて配信データを作成するデータ作成部８と、配信データを読者が閲覧可能な状態とする配信データ保存部及び受信装置３と、を備える。【選択図】図１
2015026221.tif 000002
【特許請求の範囲】
【請求項１】
新聞記事データと広告等の付加データとを組合せてなる配信データを作成する作成手段と、前記配信データを各々の読者が閲覧可能な状態とする配信手段と、を備えることを特徴とする新聞配信システム。
【請求項２】
前記読者の各属性情報を取得する取得手段と、前記読者の各属性情報に基づき前記組合せる付加データを選択する選択手段と、を有することを特徴とする請求項１に記載の新聞配信システム。
【請求項３】
前記付加データの配信対象とする前記属性の条件を、該付加データ毎に設定する配信対象設定手段を備えることを特徴とする請求項２に記載の新聞配信システム。
【請求項４】
前記読者側には前記配信データの受信端末を備え、該受信端末は前記作成された複数の配信データから少なくとも１つを選択して閲覧が可能となっていることを特徴とする請求項１ないし３のいずれかに記載の新聞配信システム。
【発明の詳細な説明】
【技術分野】
【０００１】
本発明は、契約者に対して新聞のデータを配信するシステムに関する。
【背景技術】
【０００２】
近年、インターネットの普及に伴い、新聞社にて新聞の記事データを電子化し、購読契約を行った読者の受信端末装置に配信するシステムが普及しており、購読契約を行った読者は、それぞれ受信端末装置を介して電子化された配信データを通信手段を介して受信するようになっている（例えば、特許文献１参照）。
【先行技術文献】
【特許文献】
【０００３】
【特許文献１】特開平８−２６５５５６号公報（第３頁、第１図）
【発明の概要】
【発明が解決しようとする課題】
【０００４】
ところで、既存の紙媒体の新聞には、広告や、各地域における地域情報等のチラシが折り込まれており、読者にとってこれらの広告や地域情報も新聞を購読する動機の一つであり、これらの折込チラシは、各地域の新聞販売所にて新聞に折り込まれて各読者に配達されるようになっている。しかしながら、特許文献１にあっては、新聞社は新聞販売所を介さずに読者に対して直接的に新聞データを配信することになることから、広告や地域情報を読者に対して配信することが困難であった。
【０００５】
本発明は、このような問題点に着目してなされたもので、読者に対し新聞記事に加え広告や地域情報等を配信可能とした新聞配信サービスを提供することを目的とする。
【課題を解決するための手段】
【０００６】
前記課題を解決するために、本発明の新聞配信システムは、
新聞記事データと広告等の付加データとを組合せて配信データを作成する作成手段と、前記配信データを読者が閲覧可能な状態とする配信手段と、を備えることを特徴としている。
この特徴によれば、読者に対し新聞記事に加え広告や地域情報等を配信可能とした新聞配信サービスを提供することができる。
【０００７】
前記読者における各属性情報を取得する取得手段と、前記読者の各属性情報に基づき前記組合せる付加データを選択する選択手段と、を有することを特徴としている。
この特徴によれば、読者の住所や年齢，性別等の各属性情報に基づき前記組合せる付加データを選択し、この付加データである広告や地域情報を新聞記事データと組合せて配信データを作成するため、所望の読者に対し、それぞれ指定の広告や地域情報等を配信することができる。
【０００８】
前記付加データの配信対象とする前記属性の条件を該付加データ毎に設定する配信対象設定手段を備えることを特徴としている。
この特徴によれば、新聞配信サービスの提供者側は、付加データ毎に当該付加データの配信対象となる読者の住所や年齢，性別等の各属性情報の条件を設定できるため、各付加データを含む配信データを所望の読者に対して正確に配信することができる。
【０００９】
前記読者側には配信データの受信端末を備え、該受信端末は前記作成された複数の配信データから少なくとも１つを選択して閲覧が可能となっていることを特徴としている。
この特徴によれば、読者は過去の配信データも含めて所望の配信データの閲覧を行うことができる。
【図面の簡単な説明】
【００１０】
【図１】実施例における新聞配信システムを示す概念図である。
【図２】購読登録画面を示す図である。
【図３】タグテーブルを示す図である。
【図４】定期購読者に対して配信データを配信する場合の組み合わせ処理を示すフローチャートである。
【図５】都度購入の読者に対して配信データを配信する場合の組み合わせ処理を示すフローチャートである。
【図６】ダウンロード画面を示す図である。
【図７】閲覧画面における配信データの最初のページを示す図である。
【図８】閲覧画面における配信データの中間ページを示す図である。
【発明を実施するための形態】
【００１１】
本発明に係る新聞配信システムを実施するための形態を実施例に基づいて以下に説明する。
【実施例】
【００１２】
実施例に係る新聞配信システムにつき、図１から図８を参照して説明する。図１は、本発明の適用された新聞配信システム１を概略的に示す図であり、新聞配信システム１は、新聞記事データを有する新聞社等の新聞記事サーバ４と、各広告代理店などの広告サーバ５と、地域の役場等が当該地域住民に告知する地域情報を有する地域情報サーバ６と、それぞれインターネットを介して接続される配信サーバ２と、各読者側が配信データを閲覧するための受信端末３（３Ａ，３Ｂ，３Ｃ，…）と、を有する構成であり、各サーバより受信したデータを組合せて配信データを作成し、作成された配信データを各読者に配信するシステムである。
【００１３】
配信サーバ２は、各地に複数箇所設置され、新聞の販売を請け負う新聞販売所が管理を行うようになっている。そして配信サーバ２は、各サーバより受信したデータを保存する記事データベース７と、受信した新聞記事データや広告データ等を組合せる作成手段であるデータ作成部８と、各読者の住所，年齢，性別，職業，家族構成，趣味趣向等の各属性情報を記録した読者データベース９を備え、更に読者への配信手段である配信データ保存部１０を有している。
【００１４】
新聞記事サーバ４，広告サーバ５及び地域情報サーバ６と配信サーバ間の通信、及び配信サーバと受信端末間の通信はインターネットを介して行われる。尚、これらの通信はインターネットを介して行われることに限らず、イントラネットによって接続されていてもよい。
【００１５】
受信端末３Ａは、テレビ３ａに接続して受信した配信データをテレビ画面に表示可能な端末であり、読者は図６に示されるようなダウンロード画面１６より任意に配信データを選択してダウンロードし閲覧するようになっている。尚、受信端末３は前記配信データ保存部１０と合わせて配信手段として機能しており、前記したような装置に限らず、パソコン３Ｂや、携帯電話やスマートフォン等のモバイル端末３Ｂ等も利用可能である。
【００１６】
購読を希望する読者は、まず新聞販売所に赴くか、インターネット等を通じて氏名，住所，年齢，性別，職業，家族構成，趣味趣向等の各属性情報を登録する。インターネットを介して各属性情報を登録する場合、各新聞販売所が管理するホームページ（図示せず）の購読登録画面から行う。
【００１７】
図２に示されるように、購読登録画面１１内には各項目ごとに入力フォーム１２又は選択ボタン１３が表示されており、それぞれ文字データを入力もしくは選択ボタンを選択することで氏名，住所，生年月日（年齢），性別，職業，配偶者の有無（家族構成），興味のある事柄（趣味趣向）等の各属性情報を登録する。また、読者はこれら属性情報の登録と合わせて購読方法を選択する。購読方法は、月間及び年間を通して購読する定期購読と都度購入とから選択可能となっており、決済方法としては、クレジットカード決済，口座振替，銀行振込，集金時支払い等から選択できる。尚、各登録する属性情報には、ここに挙げたものに限らず配偶者の年齢・性別や読者のライフステージ等、様々な項目を利用できる。
【００１８】
読者は、上記各属性情報及び購読方法，決済方法を選択した後、登録ボタン１４を選択する。入力された各属性情報及び購読方法，決済方法は前記読者データベース９内にそれぞれ登録時に各読者に付与される固有のＩＤに紐付けられて記録される。尚、各属性情報は、それぞれ検索可能な文字データとして読者データベース９内に登録される。
【００１９】
広告サーバ５や地域情報サーバ６は、それぞれの広告データ及び地域情報データは希望する属性情報がタグ付された状態で配信サーバ２へ移される。例えば、図３のタグテーブル１５に示されるように、広告データ１は「性別」が男性かつ「住所」が○○市△△□丁目，○○市□□×丁目△番から□番、である読者に対して配信されるように設定されている。尚、各広告データ及び地域情報データへの希望する属性情報をタグ付けは、広告サーバ５や地域情報サーバ６で行われる態様に限らず、各広告データ及び地域情報データを受信した後に配信サーバ２側で行われてもよい。
【００２０】
配信サーバ２は、配信データの配信時間より前の所定時刻（例えば朝刊であれば午前３時頃）に各接続された広告サーバ５や地域情報サーバ６を巡回し、最新の広告データ及び地域情報データをダウンロードする。そのため、広告サーバ５や地域情報サーバ６は所定時刻より前に、最新の広告データ及び地域情報データをアップロードしておくことになる。尚、各広告データ及び地域情報データは、それぞれを作成または管理する広告代理店及び役場が適宜配信サーバ２へ送信する態様であってもよく、又は配信サーバを管理する新聞販売所が広告や地域情報を紙媒体で受け取り、新聞販売所内で紙面内容をスキャンする等してデータ化してもよい。
【００２１】
受信端末３は、配信データを閲覧する際に前記登録時に付与された読者のＩＤの入力を促すようになっており、入力された読者のＩＤと受信端末の端末ＩＤとが紐付けられて配信サーバ側に送信する。そのため、配信サーバ側は読者がどの受信端末３を利用して配信データの閲覧を行おうとしているのかを把握できる。
【００２２】
続いて、新聞の配信データを作成する際の手順を、図４及び図５のフローチャートを用いて説明する。尚、読者が契約している購読方法によって配信までの動作が異なり、先ず図４を用いて、年間及び月間の定期購読者に対して配信データを配信する場合を例に取り説明する。
【００２３】
最新の新聞記事データ，広告データ及び地域情報データが収集できた状態で、これらを組合せて配信データを作成する組合せ処理がデータ作成部にて行われる。組合せ処理は、まずステップＳａ１において購読方法が定期購読である読者を読者データベース９内で検索し、定期購読の読者の各属性情報を抽出（ステップＳａ２）する。
【００２４】
続いて、ステップＳａ３において抽出した各読者の各属性情報と各広告データ及び地域情報データに設定されたタグデータとをタグテーブル１５を基に照会し、タグデータに一致する属性情報を有する読者の新聞記事データに該当する各広告データ及び地域情報データを組合せることを決定（ステップＳａ４）する。こうして決定された組合せで新聞記事データと各広告データ及び地域情報データを組合せ、読者ＩＤに紐付けて配信データ保存部１０にアップロード（ステップＳａ５）する。
【００２５】
上記した組合せ処理により配信データ保存部１０にアップロードされた配信データは、読者が適宜受信端末３から図６に示されるダウンロード画面１６にアクセスしダウンロードして閲覧するようになっている。図６は、ダウンロード画面１６は受信端末３Ａに接続されたテレビ画面３ａや、受信端末３Ｂ，３Ｃの表示画面に表示され、日付毎にダウンロード可能な配信データを選択できるようになっている。ダウンロード画面１６には配信データ保存部１０にアップロードされた配信データを示す表示１７と、既にダウンロード済みである配信データを示す表示１８と、が表示されており、アップロード済みの配信データを示す表示１７が選択されると、選択した日付の朝刊もしくは夕刊の配信データのダウンロードが開始される。更にダウンロード済みの配信データを示す表示１７が選択されると、選択した日付及び朝刊もしくは夕刊の配信データを閲覧する閲覧画面１９（図７及び図８参照）が表示される。
【００２６】
尚、配信サーバにおいて、読者ＩＤ毎に前記のダウンロードの履歴を新聞販売所にて確認できるようになっており、更に所定日連続してダウンロードされていない場合には、アラームが発せられるようになっており、定期購読者における健康的な異変等のおそれを察知することができる。
【００２７】
図７及び図８に示されるように、閲覧画面１９では、受信端末に付属するここでは図示しないリモコン等を操作することによりページ送り及びページ戻りが可能となっているとともに、新聞記事データインデックス２０，広告データインデックス２１，地域情報データインデックス２２をそれぞれ選択することで、読者が任意のデータに即座にアクセスして閲覧できるようになっている。
【００２８】
尚、配信サーバ２は、組合せられた新聞記事データと各広告データ及び地域情報データを配信データ保存部１０にアップロードし、適宜読者にダウンロードさせる態様に限らず、読者からの配信要求の度にデータの組合せを行い、当該読者ＩＤに紐付けられた受信端末３に対して直接配信データを送信するようにしてもよい。
【００２９】
次に、都度購入の読者に対して配信データを組合せる場合を図５を用いて説明する。都度購入の読者用の組合せ処理において作成部は、ステップＳｂ１で読者からの配信要求があったか否かを判断し、配信要求があった場合、配信要求のあった受信端末ＩＤから読者ＩＤを検索（ステップＳｂ２）し、さらにこの読者ＩＤから読者の各属性情報を抽出（ステップＳｂ３）する。
【００３０】
続いてステップＳｂ４にて、抽出した各読者の各属性情報と各広告データ及び地域情報データに設定されたタグデータとをタグテーブル１５を基に照会し、タグデータに一致する属性情報を有する読者の新聞記事データに、該当する各広告データ及び地域情報データを組合せることを決定（ステップＳｂ５）する。こうして決定された組合せで新聞記事データと各広告データ及び地域情報データを組合せ受信端末３に送信（ステップＳｂ６）する。尚、組合された配信データは読者ＩＤに紐付けて配信データ保存部１０にアップロードしてもよい。
【００３１】
上述したように、本発明の新聞配信システム１は、読者に対し新聞記事データに加え広告データや地域情報データ等を配信可能であり、更に読者の住所や年齢，性別等の各属性情報に基づき組合せる広告データ及び地域情報データを選択して新聞記事データと組合せて配信データを作成するため、広告主や役場が所望するタイプの読者に対し、それぞれ指定の広告や地域情報等を配信することができる。
【００３２】
また、従来の新聞配達にあっては、所定の地域を担当する新聞配達所毎に所定の広告等が割り当てられているが、例えば当該所定の地域内であっても別の新聞配達所が担当する地域の広告等が有効（当該店舗が近い等）な場合があり、新聞配達サービスの提供者側が読者に対してその所望する地域性の高い広告及び地域情報を正確に配達することが困難であった。これに対し本発明の新聞配信システム１は、広告データ及び地域情報データ毎にターゲットとなる読者の住所や年齢，性別等の各属性情報の条件を設定できるため、所望の属性情報を有する読者に対して正確に広告データ及び地域情報データを配信することができる。
【００３３】
また、各地域に配置される新聞販売所が、当該地域にある不動産やスーパー等の広告を扱う広告代理店や近隣地域の役場等から広告データ及び地域情報データを受け取る役割及び配信データの配信業務を担うことで、配信データ作成及び配信作業を分散することができ、配信サーバの負担を減らすことができる。
【００３４】
また、従来の新聞販売所は、単に新聞の配達だけを行っているのではなく、定期購読の更新，購読料の徴収及び読者からのクレーム処理といった様々な業務を行っているため、例えば高齢者の読者と定期的にコンタクトを取ることから高齢者の読者の健康的な異変等に気づきやすい等、地域社会への貢献もまた大きな役割となっている。また、経験に基づいた多くのノウハウや地域的に効果的な営業網を有している。そこで、本発明の新聞配信システムは、前記したノウハウや地域的な営業網を利用して効果的に新聞の販売を行えるばかりか、従来の新聞販売所が従来の営業と並行して上述した新聞配信システムを用いることで、前記した地域社会における役割も存続させることができる。
【００３５】
以上、本発明の実施例を図面により説明してきたが、具体的な構成はこれら実施例に限られるものではなく、本発明の要旨を逸脱しない範囲における変更や追加があっても本発明に含まれる。
【００３６】
例えば、前記実施例では、新聞記事サーバ４，広告サーバ５及び地域情報サーバ６より受信したデータを一旦記事データベース７に保存し、組合せ処理では、この記事データベース７内の各データを組合せる態様となっているが、これに限らず、例えば記事データベース７を設けずに、組合せ処理毎に新聞記事サーバ４，広告サーバ５及び地域情報サーバ６よりデータを受信するようにしてもよい。
【００３７】
また、各広告データ及び地域情報データには、組合された配信データ中における表示される順序の優先順位を設定することができ、広告主の要望に合わせて広告データの視覚効果を調整することができる。
【００３８】
また、広告データに対し、どの属性情報に対応するタグデータを付与するかによって各広告データの配信数が異なるため、配信サーバ側に配信数を数えるカウンター手段を設け、請求する広告費を調整するようにしてもよい。
【００３９】
また、各広告データ及び地域情報データは、記事データ内の広告欄に張り込むことで組合せてもよいばかりか、ページの間に差し込むようにして組合せてもよい。
【符号の説明】
【００４０】
１                新聞配信システム
２                配信サーバ
３                受信端末（配信手段）
３ａ              テレビ
４                新聞記事サーバ
５                広告サーバ
６                地域情報サーバ
７                記事データベース
８                データ作成部（作成手段）
９                読者データベース
１０              配信データ保存部（配信手段）
１１              購読登録画面
１２              入力フォーム
１３              選択ボタン
１４              登録ボタン
１５              タグテーブル
１６              ダウンロード画面
１９              閲覧画面
【図１】
2015026221.tif 000003
【図２】
2015026221.tif 000004
【図３】
2015026221.tif 000005
【図４】
2015026221.tif 000006
【図５】
2015026221.tif 000007
【図６】
2015026221.tif 000008
【図７】
2015026221.tif 000009
【図８】
2015026221.tif 000010